(57)【要約】      （修正有）【課題】新規送信、再送信の検出精度を高める。また、新規送信、再送信の検出に新規送信、再送信時に変化する冗長バージョン情報、コンスタレーション再配置情報（Ｘrv）を利用可能とする。【解決手段】Ｘndによりデータを新規に送信するのか再送信を行なうのかを移動局に通知するＨＳＤＰＡ方式に対応した基地局において、Ｘndにより、新規データを送信することを通知した後に、移動局からＡＣＫ信号もＮＡＣＫ信号も受信できない状態が次の新規データの送信を行なうまで継続したことを検出する検出手段と、検出を行なうと次の新規データの送信時においては、Ｘndを変化させずに送信するように制御する制御部とを備える。【選択図】図３
2010045820.tif 000002
【特許請求の範囲】
【請求項１】
Ｘndによりデータを新規に送信するのか再送信を行なうのかを移動局に通知するＨＳＤＰＡ方式に対応した基地局において、
前記Ｘndにより、新規データを送信することを通知した後に、移動局からＡＣＫ信号もＮＡＣＫ信号も受信できない状態が次の新規データの送信を行なうまで継続したことを検出する検出手段と、
該検出を行なうと次の新規データの送信時においては、Ｘndを変化させずに送信するように制御する制御部とを備えた、ことを特徴とする基地局。
【請求項２】
ビットを変化させることで新規データの送信であることを移動局に通知し、ビットを変化させないことで再送信であることを移動局に通知する基地局において、
前記ビット変化により、新規データを送信することを通知した後に、移動局からＡＣＫ信号もＮＡＣＫ信号も受信できない状態が次の新規データの送信を行なうまで継続したことを検出する検出手段と、
該検出を行なうと次の新規データの送信時においては、前記ビットを変化させずに送信するよう制御する制御部と、を備えたことを特徴とする基地局。
【発明の詳細な説明】
【技術分野】
【０００１】
本発明は、通信装置、再送制御方法に関する。これらの装置が利用されるシステムとしては、例えば、Ｗ−ＣＤＭＡ移動通信システムが代表例として挙げられる。
【背景技術】
【０００２】
現在、３ＧＰＰ（３rd  Generation Partnership Project）で、第３世代移動通信システムの１つの方式であるＷ−ＣＤＭＡ方式の標準化が進められている。そして、標準化のテーマの１つとして下りリンクで最大約１４Ｍｂｐｓの伝送速度を提供するＨＳＤＰＡ（High Speed Downlink Packet Access）が規定されている。
【０００３】
ＨＳＤＰＡは、適応符号化変調方式を採用しており、例えば、ＱＰＳＫ変調方式と１６値ＱＡＭ方式とを基地局、移動局間の無線環境に応じて適応的に切りかえることを特徴としている。
【０００４】
また、ＨＳＤＰＡは、Ｈ−ＡＲＱ（Hybrid Automatic Repeat reQuest）方式を採用している。ＨＳＤＰＡは、移動局が基地局からの受信データについて誤りを検出した場合に、移動局からの要求により基地局からデータの再送が行われ、移動局は、既に受信済みのデータと、再送された受信データとの双方を用いて誤り訂正復号化を行うことで特徴付けられる。このようにＨ−ＡＲＱでは、誤りがあっても既に受信したデータを有効に利用することで、誤り訂正復号の利得を高め、再送回数を抑えている。
【０００５】
ＨＳＤＰＡに用いられる主な無線チャネルは、ＨＳ−ＳＣＣＨ（High Speed-Shared Control Channel）、ＨＳ−ＰＤＳＣＨ（High Speed-Physical Downlink Shared Channel）、ＨＳ−ＤＰＣＣＨ（High Speed-Dedicated Physical Control Channel）がある。
【０００６】
ＨＳ−ＳＣＣＨ、ＨＳ−ＰＤＳＣＨは、双方とも下り方向（即ち、基地局から移動局への方向）の共通チャネルであり、ＨＳ−ＳＣＣＨは、ＨＳ−ＰＤＳＣＨにて送信するデータに関する各種パラメータを送信する制御チャネルである。各種パラメータとしては、例えば、どの変調方式を用いてＨＳ−ＰＤＳＣＨによりデータを送信するかを示す変調タイプ情報や、拡散符号の割当て数（コード数）、送信データに対して行うレートマッチングのパターン等の情報が挙げられる。
【０００７】
一方、ＨＳ−ＤＰＣＣＨは、移動局から基地局への方向である上り方向の個別の制御チャネルであり、ＨＳ−ＰＤＳＣＨを介して受信したデータの受信可、否に応じてそれぞれＡＣＫ信号、ＮＡＣＫ信号を移動局が基地局に対して送信する場合に用いられる。尚、移動局がデータの受信に失敗した場合（受信データがＣＲＣエラーである場合等）は、ＮＡＣＫ信号が移動局から送信されるので、基地局は再送制御を実行することとなる。
【０００８】
その他、ＨＳ−ＤＰＣＣＨは、基地局からの受信信号の受信品質（例えばＳＩＲ）を測定した移動局が、その結果をＣＱＩ（Channel Quality Indicator）として基地局に送信するためにも用いられる。基地局は、受信したＣＱＩにより、下り方向の無線環境の良否を判断し、良好であれば、より高速にデータを送信可能な変調方式に切りかえ、逆に良好でなければ、より低速にデータを送信する変調方式に適応的に切りかえる。
【０００９】
・「チャネル構造」
次に、ＨＳＤＰＡにおけるチャネル構成について説明する。
図１は、ＨＳＤＰＡにおけるチャネル構成を示すための図である。尚、Ｗ−ＣＤＭＡは、符号分割多重方式を採用するため、各チャネルは符号により分離されている。
【００１０】
まず、説明していないチャネルについて簡単に説明しておく。
ＣＰＩＣＨ（Common Pilot Channel）、Ｐ−ＣＣＰＣＨ（Primary Common Control Channel）は、それぞれ下り方向の共通チャネルである。
【００１１】
ＣＰＩＣＨは、移動局においてチャネル推定、セルサーチ、同一セル内における他の下り物理チャネルのタイミング基準として利用されるチャネルであり、いわゆるパイロット信号を送信するためのチャネルである。Ｐ−ＣＣＰＣＨは、報知情報を送信するためのチャネルである。
【００１２】
次に、チャネルのタイミング関係について説明する。
図１のように、各チャネルは、１５個のスロットにより１フレーム（１０ｍｓ）を構成している。先に説明したように、ＣＰＩＣＨは他のチャネルの基準として用いられるため、Ｐ−ＣＣＰＣＨ及びＨＳ−ＳＣＣＨのフレームの先頭はＣＰＩＣＨのフレームの先頭と一致している。ここで、ＨＳ−ＰＤＳＣＨのフレームの先頭は、ＨＳ−ＳＣＣＨ等に対して２スロット遅延しているが、これは、移動局がＨＳ−ＳＣＣＨを介して変調タイプ情報を受信してから、受信した変調タイプに対応する復調方式でＨＳ−ＰＤＳＣＨの復調を行うことを可能にするためである。また、ＨＳ−ＳＣＣＨ、ＨＳ−ＰＤＳＣＨは、３スロットで１サブフレームを構成している。
【００１３】
ＨＳ−ＤＰＣＣＨは、ＣＰＩＣＨに同期していないが、上り方向のチャネルであり、移動局において生成されたタイミングに基づくためである。
【００１４】
以上が、ＨＳＤＰＡのチャネル構成の簡単な説明である。
次に、ＨＳ−ＳＣＣＨで送信されるデータの内容及び符号化手順について説明する。
【００１５】
・「ＨＳ−ＳＣＣＨで送信されるデータ」
ＨＳ−ＳＣＣＨで送信されるのは、次のデータである。各データは、２スロット遅れで送信されるＨＳ−ＰＤＳＣＨの受信処理に用いられる。
（１）Ｘccs（Channelization Code Set information）
（２）Ｘms（Modulation Scheme information）
（３）Ｘtbs（Transport Block Size information）
（４）Ｘhap（Hybrid ARQ Process information）
（５）Ｘrv（Redundancy and constellation Version）
（６）Ｘnd（New Data indicator）
（７）Ｘue（User Equipment identity）
（１）〜（７）について説明する。
【００１６】
（１）のＸccsは、ＨＳ−ＰＤＳＣＨでデータを送信する際に用いる拡散符号を示すデータ（例えば、マルチコード数とコードオフセットの組み合わせを示すデータ）で、７ビットで構成される。
【００１７】
（２）のＸmsは、ＨＳ−ＰＤＳＣＨで用いる変調方式がＱＰＳＫ、１６値ＱＡＭのいずれかであることを示すデータで１ビットで構成される。
【００１８】
（３）のＸtbsは、ＨＳ−ＰＤＳＣＨで伝送されるデータのトランスポートブロックサイズ（ＨＳ−ＰＤＳＣＨの１サブフレームで送信するデータサイズ）を算出するために用いられるデータで、６ビットで構成される。
【００１９】
（４）のＸhapは、Ｈ−ＡＲＱのプロセス番号を示すデータで３ビットで構成される。基地局は、ＡＣＫ、ＮＡＣＫを受信するまでは移動局でデータの受信ができたかどうかの受信可否判断ができないが、ＡＣＫ、ＮＡＣＫを受信するまで新規データブロックの送信を待つとなると伝送効率が低下する。そこで、ＡＣＫ、ＮＡＣＫの受信前に新規データブロックを送信すべく、サブフレームで送信するデータブロックの各々にプロセス番号を定義し、プロセス番号により移動局は受信処理を切り分けて行なう。即ち、基地局は、再送を行なう場合には、先に送った際のプロセス番号と同一のプロセス番号を付与するという条件のもと、伝送ブロックのそれぞれについてプロセス番号を付与して、ＨＳ−ＳＣＣＨを介してＸhapとして送信する。
【００２０】
従って、移動局は受信したＸhapに基づいて、ＨＳ−ＰＤＳＣＨを介して受信したデータを分類し、ＨＳ−ＳＣＣＨにより同一のプロセス番号が通知されたデータ流の中で、（６）で説明するＸndに基づく、新規送信、再送信の識別を行なって新規データと再送データの合成等を行なうこととなる。
【００２１】
（５）のＸrvは、ＨＳ−ＰＤＳＣＨの再送時における冗長バージョン（ＲＶ）パラメータ（ｓ、ｒ）、コンスタレーションバージョンパラメータ（ｂ）を示すデータで、３ビットで構成される。
【００２２】
具体的には、適応変調により１６値ＱＡＭで送信を行なう場合、
Ｘrv＝０で、（ｓ、ｒ、ｂ）＝（１、０、０）、
Ｘrv＝１で、（ｓ、ｒ、ｂ）＝（０、０、０）、
Ｘrv＝２で、（ｓ、ｒ、ｂ）＝（１、１、１）、
Ｘrv＝３で、（ｓ、ｒ、ｂ）＝（０、１、１）、
Ｘrv＝４で、（ｓ、ｒ、ｂ）＝（１、０、１）、
Ｘrv＝５で、（ｓ、ｒ、ｂ）＝（１、０、２）、
Ｘrv＝６で、（ｓ、ｒ、ｂ）＝（１、０、３）、
Ｘrv＝７で、（ｓ、ｒ、ｂ）＝（１、１、０）
とし、適応変調によりＱＰＳＫで送信を行なう場合、
Ｘrv＝０で、（ｓ、ｒ）＝（１、０）、Ｘrv＝１で、（ｓ、ｒ）＝（０、０）、
Ｘrv＝２で、（ｓ、ｒ）＝（１、１）、Ｘrv＝３で、（ｓ、ｒ）＝（０、１）、
Ｘrv＝４で、（ｓ、ｒ）＝（１、２）、Ｘrv＝５で、（ｓ、ｒ）＝（０、２）、
Ｘrv＝６で、（ｓ、ｒ）＝（１、３）、Ｘrv＝７で、（ｓ、ｒ）＝（０、３）
とする。
【００２３】
尚、ｓは後に説明するレートマッチング処理において、組織ビットを優先するかどうかを示すためのビットである。例えば、ｓ＝１の場合は組織ビットを優先し、ｓ＝０の場合は組織ビットを優先しない。ｒはレートマッチング処理の際に、パンクチャ、レピテッション処理を施す対象のビットのパターンを示し、ｂはコンスタレーション再配置のパターンを示す。
【００２４】
再送信時には、受信側で合成することを考慮して、送信するビットを変化させたり、コンスタレーション配置を変更することが望ましいため、Ｘrvを０〜７の間で循環させて用いる。また、初期送信時毎にＸrvを変更する必要はないため、新規送信時の初期値は一定でよい。
【００２５】
（６）のＸndは、ＨＳ−ＰＤＳＣＨの送信ブロックが新規ブロックか再送ブロックかを示すデータで、１ビットで構成される。例えば、新規ブロックを送信する場合に、０から１、または１から０に切り換え、再送時には切り換えることなく、同じ値を用いる。
【００２６】
例えば、新規送信、再送信、新規送信、再送信、再送信、新規送信を順に行なう場合は、１、１、０、０、０、１といったようにビットが変化することとなる。
【００２７】
（７）のＸueは、移動局の識別情報を示すデータで、１６ビットで構成される。
【００２８】
・「ＨＳ−ＳＣＣＨで送信されるデータの符号化」
図２は、ＨＳ−ＳＣＣＨで送信される上記（１）〜（７）の各データの符号化手順（符号化装置）を示す図であり、主に基地局で実行される。
【００２９】
図において、１は符号化部、２はレートマッチング処理部、３は乗算器、４はＣＲＣ演算部、５は乗算器、６は符号化部、７はレートマッチング処理部、８は符号化部、９はレートマッチング処理部を示す。
【００３０】
次に各ブロックの動作について説明する。
【００３１】
７ビットで表現される（１）Ｘccs（ｘ1,1〜ｘ1,7）と１ビット表現される（２）Ｘms（ｘ1,8）は、合計８ビットのデータとして符号化部１に入力される。ここで、添え字の前半の数は、第１スロットで送信されるデータに関するものであることを意味し、カンマ（,）で区切られた後半の数は何ビット目かを示している。
【００３２】
さて、符号化部１は、入力されたデータに８ビットのテールビットを付加し、合計１６ビットに対して符号率１／３の畳み込み符号化処理を施す。従って、符号化されたデータは、合計４８ビットとなり、ｚ1,1〜ｚ1,48としてレートマッチング処理部２に与えられる。レートマッチング処理部２は、所定のビットをパンクチャ、レピテッション処理等して、第１スロットに収まるビット数に調整（ここでは、４０ビットとする）して出力する（ｒ1,1〜ｒ1,40）。
レートマッチング処理部２からのデータは、乗算器３によりｃ1〜c40との乗算がなされ、s1,1〜s1,40として出力され、図１のＨＳ−ＳＣＣＨにおける、１サブフレームの先頭のスロットである第１スロット目（第１パート）で送信される。
【００３３】
ここで、ｃ1〜c40は、（７）Ｘue（ｘue1〜ｘue16）からのデータを符号化部８により、８ビットのテールビットの付加の後、符号化率１／２で畳み込み符号化して得られたｂ1〜b48を、更に、レートマッチング処理部９で、レートマッチング処理部２と同様のビット調整を行なって得たものである。
【００３４】
一方、６ビットの（３）Ｘtbs（ｘ2,1〜ｘ2,6）、３ビットの（４）Ｘhap（ｘ2,7〜ｘ2,9）、３ビットの（５）Ｘrv（ｘ2,10〜ｘ2,12）、１ビットの（６）Ｘnd（ｘ2,13）は、合計１３ビットのｙ2,1〜ｙ2,13として、更に、１６ビットのy2,14〜y2,29が付加することで合計２９ビットのy2,1〜y2,29として符号化部６に入力される。
【００３５】
ここで、ｙ2,14〜y2,29は、（１）〜（６）の合計２１ビットに対してＣＲＣ演算部４において、ＣＲＣ演算処理がなされ、演算結果としてのｃ1〜ｃ16に（７）Ｘue（ｘue1〜ｘue16）を乗算して得られたものである。
【００３６】
さて、符号化部６に入力されたy2,1〜y2,29は、８ビットのテールビットが付加された後に、符号化率１／３で畳込み符号化されｚ2,1〜ｚ2,111の１１１ビットのデータとしてレートマッチング処理部７に入力される。
【００３７】
レートマッチング処理部７は、上述したパンクチャ等の処理によりｒ2,1〜r2,80の８０ビットを出力し、これらのｒ2,1〜r2,80は、図１のＨＳ−ＳＣＣＨにおける、１サブフレーム内における２番目、３番目のスロット（第２パート）で送信される。
【００３８】
以上のように、（１）、（２）のデータは、第１スロットで送信、（３）〜（６）は第２〜第３スロットで送信するといったように、別個のスロットとして区別して送信するが、これらに対しては、共通にＣＲＣ演算がなされて、第２スロット内でＣＲＣ演算結果として送信されるため、第１、第２スロットの双方を完全に受信することで受信エラーの検出が可能となる。
【００３９】
また、第１スロットで送信するデータに対しては、符号化部１による畳込み符号化後、乗算器３により（７）Ｘueを乗算しているため、他局宛てのデータを第１スロットで受信した場合には、復号過程で生成される尤度（パスメトリック値等）が自局宛てに比べて小さなものとなるため、尤度と基準値との比較により自局宛てでない可能性が高いことがわかることとなる。
【００４０】
・「ＨＳ−ＰＤＳＣＨで送信されるデータの符号化」
次に、送信データがＨＳ−ＰＤＳＣＨを介して送信されるまでの過程についてブロック図を用いながら説明する。
【００４１】
図３は、本発明に係る送信装置を示す図である。
【００４２】
尚、送信装置の１例として、先に説明したＨＳＤＰＡに対応したＷ−ＣＤＭＡ通信システムの送信装置（無線基地局）について説明することとする。他の通信システムにおける送信装置に適用することも可能である。
【００４３】
図において、１０はＨＳ―ＰＤＳＣＨを介して送信する伝送データ（１サブフレーム内で送信するデータ）を順次出力するとともに各部（１１〜２６等）の制御を行う制御部を示す。図２において説明した（１）〜（７）の各値は、この制御部１０が与えている。
尚、ＨＳ−ＰＤＳＣＨは、共通チャネルであるから、順次出力される伝送データは、それぞれ異なる移動局宛てであることが許容される。
【００４４】
１１は、順次入力される伝送データ（同じ無線フレーム内で送信するデータ）に対してＣＲＣ演算を行い、この伝送データの最後尾にＣＲＣ演算結果を付加するＣＲＣ付加（CRC attachment）部、１２は、ＣＲＣ演算結果が付加された伝送データに対して、ビット単位でスクランブルをかけることで、送信データにランダム性を与えるビットスクランブル（Bit scrambling）部を示す。
【００４５】
１３は、次に行うチャネル符号化において、符号化の対象とするデータ長が長くなりすぎることで、受信側の復号器の演算量が増大することを防止する等の目的から、入力されたビットスクランブル後の伝送データが、所定のデータ長を超える場合に、分割（例えば、２等分）する符号ブロック分割（Code block segmentation）部を示す。図では、入力データ長が所定のデータ長を超えており、２等分（第１データブロック、第２データブロックに分割）した場合の出力を示している。もちろん分割数として２以外の分割数とする例も考えられるし、また、等分ではなく、異なるデータ長に分割する例も考えられる。
【００４６】
１４は、分割された各データについてそれぞれ、別個に誤り訂正符号化処理を施すチャネル符号化（Channel coding）部を示す。尚、チャネル符号化部１４としては、前述のターボ符号器を用いることが望ましく、ここでもターボ符号器を用いることとする。
従って、その第１の出力は、先に説明したように、第１ブロックについて、符号化対象のデータと同じデータである重要な組織ビット（Ｕ）と、組織ビット（Ｕ）を畳み込み符号化して得られる第１冗長ビット（Ｕ'）と、組織ビットをインタリーブ処理してから同様に畳み込み符号化して得られる第２冗長ビット（Ｕ''）とが含まれる。同様に、第２の出力には、第２ブロックについての組織ビット（Ｕ）、第１冗長ビット（Ｕ'）、第２冗長ビット（Ｕ''）が含まれる。
【００４７】
１５は、チャネル符号化部１４（ターボ符号器）からシリアル入力された第１ブロック及び第２ブロックについて、組織ビット（Ｕ）、第１冗長ビット（Ｕ'）、第２冗長ビット（Ｕ''）のそれぞれに分離して出力するビット分離（Bit separation）部を示す。
【００４８】
１６は、入力されたデータ（複数のブロックに分割している場合は、分割されたブロックのデータの全て）が、後段のバーチャルバッファ部１７の所定の領域に収まるデータ量となるように、入力データに対してパンクチャ処理（間引き）等のレートマッチング処理を行う第１レートマッチング（1st rate matching）部を示す。
【００４９】
１７は、制御部１０により、送信対象の移動局の受信処理能力に応じた領域を設定され、その領域内に、第１レートマッチング部１６により、レートマッチング処理されたデータを格納するバーチャルバッファ（Buffer）部を示す。再送信時には、格納したデータを出力することで、ＣＲＣ付加部１１〜第１レートマッチング部１６までの処理を省略することができるが、再送信時に符号化率を変更したい場合等には、格納したデータを使わず、制御部１０で記憶している送信データを再度出力することが望ましい。尚、バーチャルバッファ部１７としてバッファを実際には設けず、そのままスルーとすることもできる。その場合、再送データは、制御部１０から再度出力することとなる。
【００５０】
１８は、制御部１０により、指定された１サブフレーム内に収納可能なデータ長に調整するための第２レートマッチング（2nd rate matching）部を示し、パンクチャ処理（間引き）、レピテション処理（繰り返し）を施すことで、指定されたデータ長となるように、入力されたデータのデータ長を調整する。
【００５１】
尚、この第２レートマッチング部１８では、先に説明したＲＶパラメータに応じたレートマッチング処理を行なう。
【００５２】
即ち、ＲＶパラメータにより、ｓ＝１の場合は、組織ビットをなるべく多く残すようにレートマッチング処理が施され、ｓ＝０の場合は、これに対して組織ビットが減少して、冗長ビットがより多く残ることが許容される。また、ｒに従ったパターンによりパンクチャ処理やレートマッチング処理が施される。
【００５３】
１９は、第２レートマッチング部１９からのデータを複数のビット列に配置するビット収集(Bit collection)部を示す。即ち、第１ブロックのデータと、第２ブロックのデータとを所定のビット配置方法により配置することで、それぞれ位相平面上における信号点を示すための複数のビット列を出力する。尚、この実施例では、１６値ＱＡＭ変調方式を用いるため、ビット列は４ビットで構成されるが、６４値ＱＡＭ変調方式を用いる場合はビット列は６ビット、ＱＰＳＫ変調方式を用いる場合はビット列は２ビットにする。
【００５４】
２０は、制御部１０により通知された拡散符号の数（コード数）と同じ数の系統に、ビット列を分割して出力する。即ち、制御部１０により通知された送信パラメータにおけるコード数がＮの場合、入力されたビット列を順に１〜Ｎの系統に振り分けて出力する物理チャネル分割（Physical channel segmentation）部を示す。
【００５５】
２１は、Ｎ系統のビット列のそれぞれに対して、インタリーブ処理を施して出力するインタリーブ（Interleaving）部を示す。
【００５６】
２２は、入力された各ビット列に対してビット列内でのビットの再配置が可能なコンスタレーション再配置（Constellation re-arrangement for 16 QAM）部を示す。先に説明したコンスタレーションバージョンに従って、ビットの再配置を行なう。ビットの再配置例としては、上位ビットと下位ビットを入れ替えるなどの処理であり、複数のビット列について同じ法則でビット入れ替えを行うことが好ましい。
【００５７】
２３は、Ｎ系統のビット列を、後段の拡散処理部２４の対応する拡散部に振り分ける物理チャネルマッピング（Physical channel mapping）部を示す。
【００５８】
２４は、複数の拡散部を備え、それぞれ、Ｎ系統の各ビット列に基づき対応するＩ、Ｑの電圧値を出力し、それぞれ異なる拡散コードにより拡散処理を施して出力する拡散処理(Spreading)部を示す。
【００５９】
２５は、拡散処理部２４により拡散された各信号を合成し、これに基づいて、例えば１６値ＱＡＭ変調方式等の振幅位相変調を施し、可変利得増幅器により増幅し、更に、無線信号に周波数変換してからアンテナ側に出力して無線信号として送信可能とする変調（Modulating）部を示す。
【００６０】
尚、ＨＳＤＰＡにおいては、同じタイミングのサブフレームにおいても拡散符号により他の移動局宛ての信号を多重することができるため、１０〜２５及び可変利得増幅器等のセット（送信セットと称することとする）を複数備え、可変利得増幅器の出力信号をそれぞれ合成してから、共通に周波数変換してからアンテナ側に送信することが好ましい。もちろん、符号により分離される必要があるので、各送信セットにおける拡散処理部２４で用いられる拡散符号はそれぞれ分離可能なように異なる拡散符号を用いることとなる。
【００６１】
２６は、受信部を示し、ＨＳ−ＤＰＣＣＨ等を介して受信した移動局からの信号を受信し、ＡＣＫ、ＮＡＣＫ信号、ＣＱＩ等を制御部１０に与える。
【００６２】
上述したように、ＡＣＫ信号を受信すると次の新規データを送信するが、ＮＡＣＫ信号や、応答がないＤＴＸ状態の場合は、送信したデータの再送信を行うように制御部１０は再送制御を行なう。尚、再送信は、設定された最大再送回数に制限され、最大再送回数に達しても移動局からＡＣＫ信号を受信できない場合は、次の新規データの送信に切り換えて送信するように制御する。
【００６３】
尚、最大再送回数を定義しない場合は、新規送信からタイマをスタートさせ、所定時間経過したことを検出してもＡＣＫ信号を受信できない場合に、次の新規データの送信に切り換えることもできる。
【００６４】
以上が、各部の名称とその動作の説明である。
【００６５】
上述した、ＨＳＤＰＡに関連する事項は、例えば次の非特許文献１、２に開示されている。
【非特許文献１】3G TS 25.212（3rd Generation Partnership Project: Technical SpecificationGroup Radio Access Network ; Multiplexing and channel coding (FDD))
【非特許文献２】3G TS 25.214（3rd Generation Partnership Project: Technical SpecificationGroup Radio Access Network ; Physical layer procedures (FDD))
【発明の概要】
【発明が解決しようとする課題】
【００６６】
先に説明した背景技術によれば、受信装置は新規送信か再送信かを識別するためのデータ（Ｘnd）によって、受信データ（ＨＳ−ＰＤＳＣＨ）が新規送信か、再送信かを判断することができるが、このデータ（Ｘnd）を受信し損なうことがある。
例えば、新規送信、再送信にあわせて、Ｘndを００００１１１１０と変化させて送信した場合に、移動局が１１１１の部分のＨＳ−ＳＣＣＨを受信しそこなう（全く受信できない場合、ＨＳ―ＳＣＣＨがＣＲＣエラーとなる場合を含む）と、移動局としては、基地局から０００００を受信したため、再送が４回行なわれたものと判断してしまうこととなる。Ｈ−ＡＲＱを採用している場合には、この場合、この新規データを既に受信済みのデータと誤って合成してしまうこととなる。
【００６７】
従って、本発明の目的の１つは、新規送信、再送信の検出精度を高めることである。
また、本発明の目的の１つは、新規送信、再送信の検出に新規送信、再送信時に変化する冗長バージョン情報、コンスタレーション再配置情報（Ｘrv）を利用可能とすることである。
【００６８】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００６９】
（１）本発明においては、Ｘndによりデータを新規に送信するのか再送信を行なうのかを移動局に通知するＨＳＤＰＡ方式に対応した基地局において、前記Ｘndにより、新規データを送信することを通知した後に、移動局からＡＣＫもＮＡＣＫも受信できない状態が次の新規データの送信を行なうまで継続したことを検出する検出手段と、該検出を行なうと次の新規データの送信時においては、Ｘndを変化させずに送信するように制御する制御部とを備えた、ことを特徴とする基地局を用いる。
【００７０】
（２）本発明においては、ビットを変化させることで新規データの送信であることを移動局に通知し、ビットを変化させないことで再送信であることを移動局に通知する基地局において、前記ビット変化により、新規データを送信することを通知した後に、移動局からＡＣＫもＮＡＣＫも受信できない状態が次の新規データの送信を行なうまで継続したことを検出する検出手段と、該検出を行なうと次の新規データの送信時においては、前記ビットを変化させずに送信するよう制御する制御部と、を備えたことを特徴とする基地局を用いる。
【発明の効果】
【００７１】
本発明によれば、受信装置において新規送信、再送信の検出精度を高めることができる。
【００７２】
また、本発明によれば、受信装置において新規送信、再送信の検出に新規送信、再送信時に変化する冗長バージョン情報、コンスタレーション再配置情報（Ｘrv）が利用可能となる。
【図面の簡単な説明】
【００７３】
【図１】ＨＳＤＰＡにおけるチャネル構成を示す図である。
【図２】ＨＳ―ＳＣＣＨの符号化部を示す図である。
【図３】送信装置（無線基地局）を示す図である。
【図４】本発明に係る無線装置（移動局）を示す図である。
【図５】Ｘrvを利用した新規送信、再送信判定フローを示す図である。
【図６】正常時（ＨＳ−ＳＣＣＨ受信誤りなしの場合）の再送制御を示す図である。
【図７】ＨＳ−ＳＣＣＨバースト誤り時の再送制御動作の問題を示す図である。
【図８】ＨＳ−ＳＣＣＨバースト誤り時の再送制御動作を示す図である。
【発明を実施するための形態】
【００７４】
以下、図面を参照することにより、本発明の実施の形態について説明する。
【００７５】
〔ａ〕第１実施形態の説明
先に説明したように、ＨＳ−ＳＣＣＨで送信される１サブフレームの第２〜第３スロットには（５）のＸrvが含まれるが、本実施例では、この（５）のＸrvに注目することとした。
Ｘrvは、先に説明したように、ＨＳ−ＰＤＳＣＨの再送時における冗長バージョン（ＲＶ）パラメータ（ｒ、ｓ）、コンスタレーションバージョンパラメータ（ｂ）を示すデータであるが、これらは、新規の送信に対して再送時にパラメータを変更される。
従って、新規送信、再送信の識別をするにあたって、このＸrvを利用する。
【００７６】
図４は、本発明に係る通信装置を示す図である。
【００７７】
尚、無線装置の１例として、先に説明したＨＳＤＰＡに対応したＷ−ＣＤＭＡ通信システムにおける移動局について説明することとする。他の通信システムにおける通信装置に適用することも可能である。
【００７８】
図において、３１はアンテナ、３２は無線信号に対してダウンコンバート等の無線処理を行なう無線部、３３は中間周波数等に変換されたアナログ信号をデジタル信号に変換するＡ／Ｄ変換部、３４はＡ／Ｄ変換部によりデジタル信号に変換された受信信号を記憶する記憶部を示し、３５はＨＳ−ＳＣＣＨの復調処理（直交検波、逆拡散処理等）を行なう第１復調部を示す。３６はＨＳ−ＳＣＣＨの第１スロットの復号を行なう第１復号部を示す。尚、復号部としては、ビタビ復号器を用いることが好ましい。
【００７９】
３７は第１スロットに含まれるＸccsとＸmsを分離するための分離部を示し、３９はＸccsに基づいて対応するＰ値、Ｏ値を後述する制御部４７に与える変換部を示す。
【００８０】
４０はＨＳ−ＳＣＣＨの第２及び第３スロットの復号を行なう第２復号部を示す。尚、復号部としては、ビタビ復号器を用いることが好ましい。
【００８１】
４１は、第２、第３スロットに含まれるＸtbs、Ｘhap、Ｘrv、Ｘndを分離して出力する分離部を示す。
【００８２】
４３はＸtbsに基づいて、対応するデータ長情報に変換してから制御部４７に与える変換部、４４はＸrvに基づいて、対応するレートマッチングパラメータ等の情報に変換して制御部４７に与える変換部を示す。
【００８３】
４５はＨＳ−ＰＤＳＣＨを介して送信される信号について直交検波、逆拡散等の復調処理（検波方式、逆拡散に用いる逆拡散コード数等は直前のＨＳ−ＳＣＣＨのサブフレーム内の第１の部分のデータに従う）を行なう第２復調部を示し、４６は、ＨＳ−ＰＤＳＣＨデータに対してターボ復号等の復号処理を行なう第３復号部を示す。
【００８４】
尚、図４に示した無線装置としての移動局は、ＣＱＩ、ＡＣＫ、ＮＡＣＫ等の信号を制御部４７から出力して送信するための送信部を備え、アンテナ３１から無線信号として送信可能であるが、図示を省略している。
【００８５】
次に、図４に示した無線装置の動作について説明する。
【００８６】
ＨＳＤＰＡを利用した通信の状態にある移動局は、ＨＳ−ＰＤＳＣＨは共通チャネルであるから、まず、ＨＳ−ＳＣＣＨを定期的に受信し、自局宛てのデータがＨＳ−ＰＤＳＣＨで送信されるかどうかをチェックする必要がある。
【００８７】
そこで、移動局は、アンテナ３１で受信し、無線部３２でダウンコンバートされた信号をＡ／Ｄ変換部３３でデジタル信号に変換し、記憶部３４に記憶するとともに、デジタル信号を第１復調部３５に入力する。第１復調部は、ＨＳ−ＳＣＣＨの復調用の復調部であるから、先に説明したように、例えば、同時に４種類の拡散符号を用いて受信信号を逆拡散し、逆拡散後のデータ（第１スロット部分）を第１復号部３６に入力する。第１復号部３６では、ｃ1〜ｃ40（これらは、（７）のＸueに基づいて、符号化部８、レートマッチング処理部９と同様の処理を移動局内で行なって基地局と同様のｃ1〜ｃ40を生成する）を乗算し、レートマッチング処理部２におけるレートマッチング処理により削除（パンクチャ）されたビット部分に尤度０のデータを挿入してから、ビタビ復号等により復号処理を行なう。ここで、尤度０のデータとするのは、復号の過程で、１、０の判定に等しい影響度にするためである。
【００８８】
第１復号部３６で復号されたデータは、分離部３７で、ＸccsとＸmsに分離され、（１）のＸccsは変換部３９に入力され、使用されるコード情報に変換されて制御部４７に通知される。
【００８９】
次に、第２、第３スロット、ＨＳ−ＰＤＳＣＨの復号処理についても簡単に説明しておく。
【００９０】
第２復号部４０は、第２、第３スロット部分についての復号処理を行ない、復号結果を分離部４１とＣＲＣチェック部４２に与える。分離部４１は、入力された第２、第３スロット部分について、Ｘtbs、Ｘhap、Ｘrv、Ｘndに分離して出力する。Ｘtbsについては、変換部４３により、入力データに対応するデータ長情報を制御部４７に与えることにより、ＨＳ−ＰＤＳＣＨで送信される１サブフレーム内のデータ長を認識することができる。
また、Ｘhapは、プロセス番号としてそのまま制御部４７に与えられ、制御部４７は、先に説明したように、ＨＳ−ＰＤＳＣＨで送信されるデータブロックを同一のプロセスとして処理するか、別個のプロセスとして処理するかを判断する。
Ｘrvは、変換部４４により先に説明した対応付けにより、ｓ、ｒ、ｂに変換され制御部１０に与えられ、レートマッチングパターン、コンスタレーションバージョンの特定に用いられる。
【００９１】
・「Ｘrvを用いた新規送信、再送信の判定」
更に、本実施例では、Ｘrvを用いて、新規送信、再送信かの識別を行なう。尚、基地局は、再送信時にＸrvを変化（例えば０〜７で循環）させることにより、送信されるビットを変更したり、コンスタレーションの配置を組織ビットが有利な配置となるように変更したりするが、各新規送信時においてＸrvを変化させる必要はないため、新規送信時のＸrvはある特定の値で同一のものとなる。
【００９２】
そこで、制御部４７は、この特定の値（例えばＸrv＝０）を記憶又はこの特定の値以外の値を記憶しておき、受信したＸrvがこの特定の値であることを検出した場合は、新規送信であると判定（再送信でないと判定）し、受信したＸrvがこの特定の値でないことを検出した場合は、新規送信であると判定しない（再送信であると判定）する。
【００９３】
事業者毎に特定の値が異なる場合は、事業者別に予め特定の値を記憶しておき、基地局から送信される網情報（報知情報等）に基づいて事業者を選別して、対応する特定の値を読み出して用いることもできる。
【００９４】
尚、新規送信として用いられるＸrvが特定の値であるが、移動局がそれを記憶していない場合もある。
【００９５】
この場合、移動局の制御部４７は、受信したＸrv（または、ｓ、ｒ、ｂ）の履歴を記憶し、記憶したＸrvに基づいて、新規送信時のＸrvを特定する。
【００９６】
特定方法としては、例えば、最も多く受信したＸrvの値を新規送信時のＸrvとして特定する。これは、Ｘrvは再送信毎に循環して用いられるとともに、新規送信の１回のみで送信が成功し、再送信が行なわれない場合もあるため、結果的に出現率が最も高いのは新規送信時のＸrvと考えられるからである。
【００９７】
特定精度の向上のために、特定の際に、Ｘndを参照することが好ましい。即ち、Ｘndで新規送信と判断した場合のＸrvの値を用いるのである。但し、新規送信の判断自体が誤りである可能性もあるため、好ましくは、Ｘndで新規送信と判断した場合のＸrvの値を複数記憶し、最も多く記憶されたＸrvの値を特定の値として記憶して上記のようにして用いる。
【００９８】
尚、単純に最も多く記憶されたＸrvを特定の値として用い、Ｘrvとしてその特定の値を受信すると新規の送信であると判断する場合においては、次の問題が生ずることもある。
【００９９】
例えば、最大再送回数の値が大きく（次の新規データの送信に切り換えるまでの時間）、Ｘrvが１循環してしまうと、再送時であってもその特定の値が再度送信されることとなるため、再送信と判断すべきところを誤って新規の送信と判断してしまうこととなる。
【０１００】
そこで、好ましくは、移動局の制御部４７は、Ｘrvを単に記憶するだけではなく、時系列的に履歴を記憶する。そして、記憶した履歴情報に基づいて、新規送信時のＸrvから始まって再度新規送信時のＸrvに戻るまでの一連のＸrvの変化パターンを抽出し、変化パターンとしてその順を記憶しておく。そして、受信したＸrvの変化をその記憶した変化パターンと比較して、受信したＸrvが一巡したことを検出すると、次の受信Ｘrvが新規送信時のＸrvであっても、新規送信と判断せず、再送に係るものと判断する（若しくはＸrvを用いた新規・再送判定を行なわないようにする）ことが望ましい。ここで、Ｘrvが８種類で既知である場合は、受信Ｘrvを連続して８種類受信したことを検出して同様に次の受信Ｘrvが新規送信時のＸrvであっても、新規送信と判断せず、再送に係るものと判断する（若しくはＸrvを用いた新規・再送判定を行なわないようにする）。
【０１０１】
更に、基地局毎、管轄ＲＮＣ（基地局制御装置）毎、ＭＭＳ（交換装置等のルーティング装置）毎、事業者毎に新規送信として用いられるＸrvが異なる場合もあり得る。
【０１０２】
この場合は、Ｘndを参照した特定の値の検出の際に、報知される基地局番号、管轄ＲＮＣ（基地局制御装置）識別情報、ＭＭＳ（交換装置等のルーティング装置）識別情報、事業者識別情報が共通なものどうしに、Ｘrvを区別して記憶し、それぞれにおいて最多の値を基地局毎、管轄ＲＮＣ（基地局制御装置）毎、ＭＭＳ（交換装置等のルーティング装置）毎、事業者毎に記憶して用いる。
【０１０３】
さて、Ｘndは、対応するＨＳ−ＰＤＳＣＨで送信されるデータが新規であるか、再送であるかを示すビットであり、そのまま制御部４７に与えられる。
先に説明したように、Ｘrvにより新規送信、再送信を識別することもできるが、Ｘndの情報と、Ｘrvとに基づいて識別してもよい。
【０１０４】
即ち、Ｘndが新規送信を示す場合は、そのまま新規送信として判断し、Ｘndが再送信を示す場合は、Ｘrvが新規送信を示すかどうか判断し、新規送信を示す場合は新規送信と判断し、再送信を示す場合は、再送信と判断するのである。
【０１０５】
このようにすれば、Ｘndを００００１１１１０と変化させて送信した場合に、移動局が１１１１の部分のＨＳ−ＳＣＣＨを受信しそこなった（全く受信できない場合、ＨＳ−ＳＣＣＨがＣＲＣエラーとなる場合を含む）としても、最後のＸnd＝０を受信時にＸndの判定では、再送信と判断するが、Ｘrvは新規送信を示す値であるため、救済され、正しく新規送信であることを検出することができることとなる。
【０１０６】
以上のように、Ｘrv単独で新規送信、再送信を判断することもできるし、ＸndとＸrv
の双方に基づいて新規送信、再送信を判断することもできる。
【０１０７】
ＣＲＣチェック部４２には、第２、第３スロットのうち、ＣＲＣ演算により算出されたＣＲＣビットと送信側でＣＲＣ演算の対象となった第１〜第３スロットのデータの双方が入力され、ＣＲＣチェック部４２において、ＣＲＣ演算対象についてＣＲＣ演算を行なって得られた結果と、受信したＣＲＣビットとを比較してその一致（不一致）によりＣＲＣエラーの無し（有り）のチェックを行なう。
【０１０８】
ＣＲＣチェック結果は、制御部４７に与えられ、ＣＲＣチェックによりエラーであれば、ＨＳ−ＰＤＳＣＣＨに関するその後の各部の動作を行なわないように制御することが好ましい。
【０１０９】
第２復調部４５は、ＣＲＣチェックでエラーが検出されなかった場合に、復調を行い、復調結果を出力し、ＨＳ−ＳＣＣＨで通知されたプロセス番号毎に別個の処理として、受信データを順に復号して制御部４７へ与える。
【０１１０】
制御部４７は、プロセス番号毎に別個に復号されたデータ内に含まれる情報に基づいてデータの再構築を行なって送信データを再生して不図示の表示部、音声出力部等へ出力する。
【０１１１】
図示していないが、移動局は送信部も備えており、先に説明したように、ＡＣＫ、ＮＡＣＫ、ＣＱＩを制御部４７の指示に従って送信可能である。
【０１１２】
最後に図５にＸndとＸrvの双方を用いた新規送信、再送信の判定フローチャートを示しておく。
【０１１３】
移動局の制御部４７は、ステップ１において、ＨＳ−ＳＣＣＨを介して受信したＸndが変化したかどうかを判定する。ここで、変化した場合は、ステップ２に進み、新規データとして、他のデータと合成せずにＨＳ−ＰＤＳＣＨの受信データの復号処理を第３復号部４６で行なう。制御部４７は復号後のデータについてＣＲＣチェックを行なう（ステップ３）。ここでＣＲＣチェックＯＫであればＡＣＫ信号を基地局に送信する（ステップ４）ように不図示の送信部を制御して次のＨＳ−ＳＣＣＨについての処理を行なうべくステップ１に戻る。
【０１１４】
一方、ステップ１でＸndが変化しないと判断すると、ステップ５に移行し、Ｘrvが新規データを示すかどうかを判定する。ここで、ＹＥＳと判断すると、ステップ２に移行するが、ＮＯと判断すると、ステップ６に移行する。ステップ６では、再送信に係るデータであることの確からしさが高いため、受信済みであるデータと再送信により受信したデータを合成する。そして、ステップ７で同様に、第３復号部４６で復号処理を行う。
【０１１５】
復号後は、ステップ８で、ＣＲＣチェックが行われ、ＣＲＣチェクがＯＫであれば、ステップ４に進み、基地局に対してＡＣＫ信号が返送されることとなる。一方、ＣＲＣチェックがＮＧであれば、ステップ９に進みＮＡＣＫ信号が基地局に返送されることとなる。
【０１１６】
尚、ステップ３においてＣＲＣチェックがＮＧである場合も同様にステップ９に進み、ＮＡＣＫ信号が基地局に返送されることとなる。
以上が第１実施形態の説明であるが、第１復調部３５、第２復調部４５を共通ユニット化したり、第１復号部３６、第２復号部４０を共通ユニット化したりすることもできる。
【０１１７】
その際、同じスロットの信号に対する処理であっても時分割処理により容易に可能となることに注意すべきである。
【０１１８】
〔ｂ〕第２実施形態の説明
第２実施形態では、最大再送回数（または新規送信から次の新規送信に切り換えるまでの時間）を移動局が推定することにより、新規送信、再送信の検出精度を向上する。
【０１１９】
尚、単純に最も多く記憶されたＸrvを特定の値として用い、Ｘrvとしてその特定の値を受信すると新規の送信であると判断する場合においては、次の問題が生ずることもある。
【０１２０】
例えば、最大再送回数の値（または前記時間）が大きく、Ｘrvが１循環してしまうと、再送時であってもその特定の値が再度送信されることとなるため、再送信と判断すべきところを誤って新規の送信と判断してしまうこととなる。
【０１２１】
そこで、好ましくは、移動局の制御部４７は、新規データの受信からＸndで次の新規データの送信を通知されるまで、連続してＮＡＣＫを何回送信したか又は経過時間をカウントし、そのカウント値又は送信数から１を引いた数（最大再送回数）又は経過時間を記憶する。ここで１を引いた値は、最大再送回数を示すこととなる。何故なら、後のＮＡＣＫに対しては再送がなされず、新規データが送信されたからである。
【０１２２】
制御部４７は、その後新規データ受信からＮＡＣＫの連続送信回数をカウントし、記憶したカウント値（または経過時間）と比較するか、又は１を引いた数を最大再送回数と比較することで、一致した時のＮＡＣＫに応じて送信されたデータは新規データであると判定することが望ましい。
【０１２３】
ここで、経過時間で検出する場合は、新規データ受信からの経過時間をカウントし、ＡＣＫ信号を送信することなく、カウント値が記憶した一致したことを検出すると、次の受信データは次の新規データに切り替わったと判定することが望ましい。
【０１２４】
記憶するカウント値の精度を上げるには、Ｘnd、Ｘrvを利用することが望ましい。即ち、記憶するカウント値、最大再送回数を算出するにあたって、単にＮＡＣＫの連続送信回数をカウントするのではなく、連続する全てのＮＡＣＫの送信に対して送信されるＨＳ−ＳＣＣＨがＸnd又はＸrvにより再送信であることを示す場合に限ってそのＮＡＣＫ信号のカウント値を有効とするのである。尚、最後のＮＡＣＫ信号の送信に対しては、通常であれば、Ｘnd又はＸrvにより新規の送信であることが通知されるため、新規の送信であることが通知されたことでカウント値を有効とする。次の新規データへの切り換えを行なう時間を記憶するＢが相も同様に、連続する全てのＮＡＣＫの送信に対して送信されるＨＳ−ＳＣＣＨがＸnd又はＸrvにより再送信であることを示す場合に限って経過時間を測定し、記憶することが望ましい。
【０１２５】
同様に、記憶したカウント値に基づく、新規データ、再送データの判断においても、同様にして、Ｘnd、Ｘrvを利用することが望ましい。
【０１２６】
〔ｃ〕第３実施形態の説明
第３実施形態では、Ｘndを用いた判定と、Ｘrvを用いた判定とで新規送信、再送信の結論が異なる場合の動作について考える。このような場合には、ＸndとＸrvによる判定結果のいずれかが誤っていると解されるが、ここで、再送信と判断すると、受信済みのデータと合成されてしまうこととなるため、この実施形態では、新規送信と判断するのである。
新規送信として処理することで、受信済みのデータと合成することもなく、例え再送信であったとしても、新規送信として復号した結果に含まれる情報に基づいて、同一データであることを検出可能であるから、重複して出力してしまうようなことも防止できる。
〔ｄ〕第４実施形態の説明
第１実施形態では、受信側の通信装置である移動局における処理の工夫を行なったが、第４実施形態では、送信側の通信装置である基地局における処理を工夫する。
【０１２７】
まず、図６を用いて正常時（ＨＳ−ＳＣＣＨ受信誤りなしの場合）の再送制御について説明する。
【０１２８】
図のように、基地局は、ＨＳ−ＳＣＣＨを介してＸnd＝０を送信し、移動局はこれを正常に受信し、Ｘnd＝０と判断し、ＨＳ−ＳＣＣＨにＣＲＣエラーが検出されないことから、ＨＳ−ＰＤＳＣＨの復号を行なう。
【０１２９】
そして、復号後のＨＳ−ＰＤＳＣＨについてＣＲＣチェックを行うが、ＨＳ−ＰＤＳＣＨについては受信環境等の影響によりＣＲＣチェックはＮＧとなる場合は、図のように基地局にＮＡＣＫ信号を送信する。
【０１３０】
ここでは再送回数の最大値は３回としているので、移動局からのＮＡＣＫ信号を４回受信するか又は新規送信からＡＣＫ信号を所定時間内に受信しない場合（タイムオーバの場合）は、基地局は、再送信をあきらめ、次の新規データの送信を行なうべく、ＨＳ−ＳＣＣＨを介してＸnd＝１を送信し、移動局はこれを正常に受信し、Ｘnd＝１と判断し、ＨＳ−ＳＣＣＨにＣＲＣエラーが検出されないことから、ＨＳ−ＰＤＳＣＨの復号を行なう。
【０１３１】
しかし、同様に、復号したＨＳ−ＰＤＳＣＨについてのＣＲＣチェックがＮＧとなる場合は、図のように基地局にＮＡＣＫ信号が送信され、４回目のＮＡＣＫ信号の受信により（またはタイムオーバにより）基地局は、更に新規データの送信に切り換える。
【０１３２】
以上のように、ＨＳ−ＳＣＣＨが正常に移動局に正常に受信される場合は、基地局と移動局間でＸndに基づく、新規、再送信の認識にずれはない。
【０１３３】
しかし、図７のように、ＨＳ−ＳＣＣＨにバースト誤りが発生すると新規、再送信の認識にずれが生ずることとなる。
【０１３４】
即ち、図のように、最初の４回のＸndは移動局に受信されるが、最大再送回数に達した（またはタイムオーバした場合の）５回目の新規データ送信時のＸnd＝１は、移動局に受信されない（ＣＲＣエラー含む）ことがある。
【０１３５】
このような場合は、移動局は、ＨＳ−ＰＤＳＣＨの復号を行なわないこととなり、ＡＣＫもＮＡＣＫも基地局に送信しないＤＴＸ状態となる。
【０１３６】
従って、基地局は、送信から所定時間以内にＡＣＫ信号を受信しないことから自動的に再送を行なうが、これらについても同様に移動局に受信されないことがある。
【０１３７】
そして、最大再送回数を超えると更に新規のデータの送信を行なうこととなるが、その場合には、Ｘnd＝０に変更されるが、これを移動局がたまたま正常に受信できたとすると、移動局は、最大再送回数を認識していない場合は、更なる再送と判断して、４回目の再送信として最初〜３回目に受信したデータと合成して復号を行なうこととなる。
【０１３８】
このように、Ｘnd＝０を新規データの送信に切り換えたことを通知するために送信したにもかかわらず、再送を通知していることになってしまうことがある。
【０１３９】
この実施例では、移動局が、ＨＳ−ＳＣＣＨ即ちＸnd又はＸrvを受信しそこなった場合、移動局はＨＳ−ＰＤＳＣＨを復号しないため、ＡＣＫもＮＡＣＫも返送しない無応答（ＤＴＸ）となることに着目することとする。
【０１４０】
即ち、基地局の制御部１０は、ＨＳ−ＳＣＣＨを介してＨＳ−ＰＤＳＣＨで第Ｎ新規データを送信することを予告したが、移動局からはＡＣＫもＮＡＣＫも返送されず、これが、最大再送回数に達するまで（またはタイムオーバまで）継続したことを受信部２６からの受信状況により判定した場合に、次に送信する第Ｎ＋１新規データについては、Ｘndを変化させないこととする。
【０１４１】
具体的には、図８のように、第１新規データについて、Ｘndとして、０、０、０、０を送信し、第２新規データについてＸndとして１、１、１、１の順で送信した場合、５番目から８番目の１に対して、移動局からＡＣＫもＮＡＣＫも送信されない場合（ＤＴＸの場合）は、次に第３新規データを送信する場合は、Ｘndとして１をセットして送信するように、制御部１０は、図２に示したＸndに１をセットする。
【０１４２】
移動局は、このＸnd＝１を検出することができれば、４回連続してＸnd＝０を受信した後に、Ｘnd＝１に変化したことを検出することができるので、新規データの受信があるものと正しく判断することができる。
【０１４３】
尚、このようにＸnd＝１とするのは、更に次の第４新規データを送信するまで続けることができるし、もし、依然としてＡＣＫもＮＡＣＫも返送されない場合は、更に次の第４新規データの送信まで継続してもよい。
【符号の説明】
【０１４４】
１    符号化部
２    レートマッチング処理部
３    乗算器
４    ＣＲＣ演算部
５    乗算器
６    符号化部
７    レートマッチング処理部
８    符号化部
９    レートマッチング処理部
１０  制御部
１１  ＣＲＣ付加部
１２  ビットスクランブル部
１３  符号ブロック分割部
１４  チャネル符号化部
１５  ビット分離部
１６  第１レートマッチング部
１７  バーチャルバッファ部
１８  第２レートマッチング部
１９  ビット収集部
２０  物理チャネル分割部
２１  インタリーブ処理部
２２  コンスタレーション再配置部
２３  物理チャネルマッピング部
２４  拡散処理部
２５  変調部
２６  受信部
３１  アンテナ
３２  無線部
３３  Ａ／Ｄ変換部
３４  記憶部
３５  第１復調部
３６  第１復号部
３７  分離部
３９  変換部
４０  第２復号部
４１  分離部
４２  ＣＲＣチェク部
４３  変換部
４４  変換部
４５  第２復調部
４６  第３復号部
４７  制御部
【図１】
2010045820.tif 000003
【図２】
2010045820.tif 000004
【図３】
2010045820.tif 000005
【図４】
2010045820.tif 000006
【図５】
2010045820.tif 000007
【図６】
2010045820.tif 000008
【図７】
2010045820.tif 000009
【図８】
2010045820.tif 000010